(57)【要約】【課題】  馳締タイプの建築用板の馳締箇所にシールテープを貼着するものであって、極めて簡単且つ効率的にシールテープを建築用板に貼着することができる装置を提供すること。【解決手段】  接着面２０ａ1 を有するシール部２０ａと，剥離シート２０ｂからなるシールテープ２０が巻き付けられた供給ドラム２と、前記シールテープ２０をその接着面２０ａ1 が外向きとなるように巻き付けて案内する貼着ローラ３と、該貼着ローラ３に巻きついたシールテープ２０から前記剥離シートを引き離すように巻き付けて案内する剥離案内ローラ６とからなること。前記貼着ローラ３は、シールテープ２０のシール部２０ａを建築用板２１の所定位置に貼着すること。【選択図】      図１
2006037388.tif 000002
【特許請求の範囲】
【請求項１】
接着面を有するシール部と，剥離シートからなるシールテープが巻き付けられた供給ドラムと、前記シールテープをその接着面が外向きとなるように巻き付けて案内する貼着ローラと、該貼着ローラに巻きついたシールテープから前記剥離シートを引き離すように巻き付けて案内する剥離案内ローラとからなり、前記貼着ローラは、前記シールテープのシール部を建築用板の所定位置に貼着してなることを特徴とするシールテープの取付装置。
【請求項２】
請求項１において、前記貼着ローラは、前記建築用板の所定位置に下方から上方に向かって押圧させる押圧手段が具備されてなることを特徴とするシールテープの取付装置。
【請求項３】
請求項２において、前記押圧手段は、揺動部と、該揺動部を揺動自在に支持する揺動支持部と、前記揺動部の揺動中心の一方側にその長手方向に沿って移動且つ固定自在としてなる錘部とからなり、前記揺動部の揺動中心の他方側に前記貼着ローラが装着されてなることを特徴とするシールテープの取付装置。
【請求項４】
請求項１，２又は３において、前記供給ドラムから供給されたシールテープの剥離シートを巻き取る巻取りドラムが具備されてなることを特徴とするシールテープの取付装置。
【請求項５】
請求項１，２，３又は４において、前記貼着ローラと供給ドラムとの間で且つ貼着ローラに近接した位置には貼着案内ローラが具備されてなることを特徴とするシールテープの取付装置。
【発明の詳細な説明】
【技術分野】
【０００１】
本発明は、馳締タイプの建築用板の馳締箇所にシールテープを貼着するものであって、極めて簡単且つ効率的にシールテープを建築用板に貼着することができるシールテープの取付装置に関する。
【背景技術】
【０００２】
従来より屋根，壁等の外囲体が金属建築用板により構成されるものが多く使用され、その金属製の建築用板同士の接合部に防水用のシールテープが貼着されることが多い。特に馳締タイプの折板建築用板では、馳締め箇所の防水性が重要であり、雨水の漏れの原因がこの部位によって生じるものである。このシールテープは、通常はスポンジ材等により形成されるものであり、また、折板建築用板同士の接合部における下馳部と上馳部との間に充填装着されるものである。
【０００３】
この折板建築用板にシールテープを貼着することは、極めて面倒且つ困難な作業となるものである。さらに、折板建築用板の適正箇所に正確に貼着することが重要であり、このようにシールテープを貼着することも極めて面倒であり、且つ困難な作業となる。そこで、このようなシールテープを折板建築用板の貼着位置に貼着するために種々の装置が開発されている。例えば特許文献１（特開平８−２７６４９８号）に開示されている。
【特許文献１】特開８−２７６４９８号
【発明の開示】
【発明が解決しようとする課題】
【０００４】
上記特許文献１に開示されているものは、構造が複雑であり、また装置自体が大型のものとなっている。このような装置を建築用板を成形するロール成形機に組み込むことは困難であり、且つ成形機のコストも高くなる。さらに、構造が複雑になると、その装置の操作も面倒になりがちである。本発明の課題（技術的課題又は目的）は、折板タイプの建築用板に紐（帯）形状のシールテープを簡易且つ迅速に貼着することにある。
【課題を解決するための手段】
【０００５】
そこで、発明者は上記課題を解決すべく鋭意，研究を重ねた結果、本発明を、接着面を有するシール部と，剥離シートからなるシールテープが巻き付けられた供給ドラムと、前記シールテープをその接着面が外向きとなるように巻き付けて案内する貼着ローラと、該貼着ローラに巻きついたシールテープから前記剥離シートを引き離すように巻き付けて案内する剥離案内ローラとからなり、前記貼着ローラは、前記シールテープのシール部を建築用板の所定位置に下方側から貼着してなるシールテープの取付装置としたことにより、上記課題を解決したものである。
【０００６】
次に、前述の構成において、前記貼着ローラは、前記建築用板の所定位置に下方から上方に向かって押圧させる押圧手段が具備されてなることを特徴とするシールテープの取付装置としたことにより、上記課題を解決したものである。さらに、前記押圧手段は、揺動部と、該揺動部を揺動自在に支持する揺動支持部と、揺動部の揺動中心の一方側にその長手方向に沿って移動且つ固定自在としてなる錘部とからなり、前記揺動部の揺動中心の他方側に前記貼着ローラが装着されてなるシールテープの取付装置としたことにより、上記課題を解決したものである。
【０００７】
次に、前述の構成において、前記供給ドラムから供給されたシールテープの剥離シートを巻き取る巻取りドラムが具備されてなるシールテープの取付装置としたり、前記貼着ローラと供給ドラムとの間には貼着案内ローラが具備され、該貼着案内ローラに近接する位置と前記巻取りドラムとの間には、巻取り案内ローラが具備されてなるシールテープの取付装置としたことにより、上記課題を解決したものである。
【発明の効果】
【０００８】
請求項１の発明によれば、シールテープを建築用板の一部に簡易且つ迅速に貼着することができる。しかもシールテープを極めて正確な直線状にして貼着することができる。請求項２の発明によれば、本発明における装置は、ロール成形機に連続して配置されることにより、ロール成形機により成形されて送りだされた建築用板を上下方向に向きを変更させることなく、そのままシールテープを貼着することができる。次に、請求項３の発明によれば、建築用板のシールテープ貼着箇所への貼着ローラの加圧調整を極めて簡単に行なうことができ、また一旦調整された加圧量は、シールテープの貼着作業において略一定に維持することができる。
【０００９】
さらに、加圧調整は、単に錘を揺動部の長手方向に沿って適宜に移動且つ固定することで極めて簡単にできる。次に、請求項４の発明によれば、シールテープから剥離シートを容易且整然とした状態で剥離させることができる。請求項５の発明によれば、巻取りドラムが剥離シートを巻き付ける動作を常時、安定した状態に維持することができる。
【発明を実施するための最良の形態】
【００１０】
以下、本発明の最良の形態を図面に基づいて説明する。本発明は、折板タイプの金属製等の建築用板２１の一部にシールテープ２０を貼着するものである。具体的には、並設された建築用板２１，２１同士の連結箇所に設ける防水用のシールテープ２０を貼着するものであって、図１３に示すような、馳締タイプの建築用板２１，２１，…による屋根，壁等の外囲体に対して好適な装置である。そして、図１４（Ａ），（Ｂ）に示すように、建築用板２１の上馳部２１ｄの裏面側にシールテープ２０が貼着され、該シールテープ２０が前記上馳部２１ｄと下馳部２１ｃとの間に圧縮且つ挟持される状態で下馳部２１ｃと上馳部２１ｄとが馳締めされるものである。
【００１１】
まず、本発明における取付装置Ａは、図１乃至図３に示すように、機枠１に供給ドラム２，貼着ローラ３，貼着案内ローラ４，巻取りドラム５，巻取り案内ローラ６，押圧手段Ｂ及び送り用ローラ及び押え用ローラ等が設置されている。その機枠１は、図２，図３等に示すように、複数のＬ形鋼等の形鋼からなる枠材が略直方体に組み合わせられている。そして、その内部に前記供給ドラム２，巻取りドラム５が回転自在に装着されている。その供給ドラム２は、長尺なシールテープ２０が巻き付けられており、この巻き付けられたシールテープ２０が建築用板２１の所定位置（例えば上馳部２１ｄの裏面側）に貼着される工程において、適宜に引き出される仕組みとなっている（図４参照）。
【００１２】
その供給ドラム２及び巻取りドラム５のそれぞれのドラムの直径は、図４に示すように、共に同一径（略同一径でもよい）である。その巻取りドラム５は、供給ドラム２から引き出されたシールテープ２０の剥離シート２０ｂを巻き取る役目をなすものである。上記供給ドラム２と巻取りドラム５とは、隣接して設置されている。
【００１３】
次に、その機枠１の上方箇所には、図１乃至図３に示すように、送り用ローラ８及び押え用ローラ９が装着されている。まず、送り用ローラ８は、機枠１の上面にて建築用板２１を移動させる役目をなすものである。その送り用ローラ８は、具体的には機枠１の上面からその一部が突出するようにして装着されたものであり、送り用ローラ８の回転軸が機枠１の上面箇所にベアリングを介して軸支されている。このとき、前記回転軸は、機枠１内に納まっている。
【００１４】
また、ロール成形機２２により成形された建築用板２１を、本発明における取付装置のみで、シールテープ２０を貼着することができる。この場合には、建築用板２１を作業員が手で移動されるか、又は送り用ローラ８を回転させる動力が具備される。これによって、ロール成形機２２にて、一旦建築用板２１を成形し、そのロール成形機２２の設置場所とは別の場所で取付装置Ａを設けて建築用板２１にシールテープ２０を貼着することができる。
【００１５】
このようにすれば、たとえば、工場でロール成形機２２にて成形された建築用板２１は、建築現場にて必要に応じて、取付装置Ａでシールテープ２０を貼着することができるものである。また、ロール成形機２２と共に使用すれば、前記動力源７を設けなくとも、前記ロール成形機２２による建築用板２１の送り出し動作により、取付装置Ａ上においてもこの建築用板２１を移動させることができる。
【００１６】
その送り用ローラ８の上方位置には押え用ローラ９が備わっている。この押え用ローラ９は、前記送り用ローラ８とともに、ロール成形機２２により成形されて送りだされた建築用板２１の主板２１ａを挟持するようにして、その建築用板２１を送り用ローラ８上に押さえつける役目をなすものである。この押え用ローラ９は、機枠１の上面から上方位置に設置された門形状の押え用ローラ支持部１０に支持軸１０ａが配置され、その支持軸１０ａに軸受具１０ｂが設けられ、該軸受具１０ｂに前記押え用ローラ９が軸支されている。該押え用ローラ９は、図２に示すように、２つが機枠１の正面側より見て左右対称に配置され、ロール成形機２２から成形されて送り出された建築用板２１の主板２１ａの幅方向両側箇所を押さえるような構造となっている。
【００１７】
次に、貼着ローラ３及び貼着案内ローラ４は、図１乃至図３等に示されるように、前記機枠１の上面に設けられている。この貼着ローラ３は、後述する押圧手段Ｂにより、常時、建築用板２１のシールテープ２０の装着箇所に下方から上方に向かって押圧状態となるように設置されている。そして、前記供給ドラム２より供給されるシールテープ２０から剥離シート２０ｂを除いたものを建築用板２１の所定位置に貼着する役目をなすものである。その貼着ローラ３には、円周（外周）方向に沿ってテープ案内溝３ａが形成されており、シールテープ２０が前記テープ案内溝３ａに沿いながら、建築用板２１の貼着位置に正確に貼着されるようにしている。
【００１８】
また、貼着案内ローラ４は、前記供給ドラム２と貼着ローラ３との間に位置するとともに、該貼着ローラ３に近接した位置に装着されている。そして、前記供給ドラム２から供給されたシールテープ２０は、図４，図８，図９等に示すように、一旦その貼着案内ローラ４を通過して、貼着ローラ３にシールテープ２０が送り込まれる。また、前記シールテープ２０が貼着案内ローラ４を通過するとともに、シールテープ２０から剥離された剥離シートを巻取りドラム５側に送りだす役目もなしている。この貼着案内ローラ４は、前記貼着ローラ３と同様に、テープ案内溝４ａが形成されており、シールテープ２０を貼着ローラ３側に向かって正確に送り込むとともに、剥離シート２０ｂを安定した状態で巻取りドラム５側に送り出すものである。
【００１９】
その貼着ローラ３は、前述したように、押圧手段Ｂに装着されている。この押圧手段Ｂは、図４，図５に示すように、揺動部１１と、該揺動部１１を揺動自在に支持する揺動支持部１２と、揺動部１１の揺動中心の一方側にその長手方向に沿って移動且つ固定自在として錘部１３とから構成されたものである。前記揺動支持部１２は、略柱状体として形成されたものである。そして、機枠１の上面に略垂直状に配置されている。この揺動支持部１２は、２つの板状部材１２ａ，１２ａが平行に配置されたものである。この揺動支持部１２の両板状部材１２ａ，１２ａ間に前記揺動部１１が配置され、垂直面上を揺動自在となるように枢支連結されている。その枢支連結箇所が揺動部１１の揺動中心Ｐとなる（図４，図５参照）。
【００２０】
その揺動部１１の長手方向の一方側には錘部１３が装着されている。該錘部１３は、その揺動部１１の長手方向に沿って移動自在且つ固定自在としたものである。前記錘部１３には、図５（Ａ），（Ｂ）に示すように、前記揺動部１１が挿通する挿通路部１３ａが形成されている。そして、前記錘部１３は、挿通路部１３ａによって、前記揺動部１１の長手方向に沿って移動（スライド）自在としている。また、この挿通路部１３ａには、締付固定具１３ｂが備えられており、前記錘部１３を前記揺動部１１の長手方向における適宜の位置に位置決めし、且つ固定することができる。前記締付固定具１３ｂの具体的なものとして、ボルトが使用される。さらに好適なボルトとしては、例えばちょうボルトが操作の行い易さにおいて好適である。そして、この締付固定具１３ｂを緩めることにより、前記錘部１３は揺動部１１の長手方向に沿って移動させることができ、且つ適宜の位置で締付固定具１３ｂを締め付けることにより、前記錘部１３を固定することができる。このように、錘部１３の揺動部１１の長手方向に対する位置を調整することで、前記貼着ローラ３の建築用板２１への貼着位置における押圧力を適宜調整することができる。
【００２１】
また、揺動部１１の他方側には、前記貼着ローラ３が装着される。さらに具体的には、ベース板部１７を介して揺動部１１に貼着ローラ３が装着されることになる。該ベース板部１７は、貼着ローラ３とともに貼着案内ローラ４にも装着される。または、ベース板部１７には、貼着案内ローラ４が装着されないこともある。そのベース板部１７は、前記揺動部１１の長手方向に対して適宜の角度で固着することができるように、ボルト・ナット等による固着具１４で固着される。
【００２２】
前記揺動部１１とベース板部１７とのなす角度は、前記貼着ローラ３が建築用板２１のシールテープ２０を装着する貼着位置に対して貼着ローラ３のみが建築用板２１の貼着位置に当接することができるように設定される。すなわち、前記ベース板部１７に貼着案内ローラ４が装着されている場合でも、この貼着案内ローラ４が建築用板２１の貼着位置には当接しないようにしている。
【００２３】
また、前記揺動部１１の揺動中心Ｐの位置は、図４，図５に示すように、揺動部１１の長手方向の中心に位置するのではなく、前記ベース板部１７側、すなわち貼着ローラ３側に近寄った位置に存在するようにしている。そして、前記揺動部１１の錘部１３の装着側では、長手方向に沿って長い領域が確保され、この領域が前記錘部１３のバランス調整範囲となっている。このバランス調整範囲内に錘部１３を適宜の位置に設定することにより、前記貼着ローラ３が建築用板２１の貼着位置に対する押圧の大きさを適宜に調整することができる。
【００２４】
すなわち、前記錘部１３を揺動中心Ｐに近づけると貼着ローラ３の押圧力は小さくなり、錘部１３を揺動中心Ｐから遠ざけるにしたがって、貼着ローラ３の押圧力は次第に大きくなってゆく。また、前記揺動支持部１２と揺動部１１の錘部１３装着側との間には、傾斜角規制部１５が設けられている。該傾斜角規制部１５は、揺動部１１が所定の角度以上に傾いて、前記貼着ローラ３の押圧力が過剰に大きくならないようにしている。この傾斜角規制部１５は、ボルトが使用され、このボルトの螺子部先端が揺動部１１を下方から支持するように設置され、ボルトの螺子調整により、揺動部１１が上下に微調整可能となっている。
【００２５】
その押圧手段Ｂの第２タイプでは、図５（Ｃ）に示すように、貼着ローラ３を支持する軸受部が弾性部材１６を介して下方から上方に向かって弾性的に付勢されたものである。その弾性部材１６は、コイルスプリングが使用され、該コイルスプリングを上下動させる外螺子が形成された軸部１８が備わっており、この軸部１８が前記機枠１を構成する部材に形成された貫通孔に挿通され、その外螺子部にナット１９が螺合されている。そして、ナット１９を適宜に回転させることにより、前記軸部１８は前記弾性部材１６の弾性力にて上下に位置調整可能且つコイルスプリングの弾性も調整され、ひいては、貼着ローラ３の建築用板２１に対する貼着位置への押圧力を調整することができる。
【００２６】
次に、巻取りドラム５は、シールテープ２０から剥離された剥離シート２０ｂを巻き取るものである。この巻取りドラム５は、前記供給ドラム２と略同等形状をなしており、前述したようにモータ等の動力源が備わっており、巻取りドラム５自体で回転することができる。その巻取りドラム５と前記貼着案内ローラ４との間には巻取り案内ローラ６が配置されている。そして、前記貼着案内ローラ４によってシールテープ２０から剥離された剥離シート２０ｂが巻取り案内ローラ６に案内されて、前記剥離シート２０ｂが巻取りドラム５に巻き取られるようになっている。
【００２７】
次に、本発明の取付装置Ａには、図１１に示すように、貼着案内ローラ４が設けられないこともある。さらに、取付装置Ａには巻取りドラム５も本発明の装置に設けられないこともある。該巻取りドラム５が設けられない場合には、機枠１内に箱２３が設けられ、この箱の中に剥離シート２０ｂが捨てられるようにする構成としてもかまわない。そして、箱２３内に剥離シートが一杯になったら、新たな箱２３と交換するものである。
【００２８】
次に、シールテープ２０は、粘着性による接着面２０ａ1 を有するシール部２０ａと，前記接着面２０ａ1 に貼付された剥離シート２０ｂからなるもので、略紐状又は帯状に形成されている。前記シール部２０ａは、スポンジ，ゴム又は柔軟且つ弾性を有し、圧縮可能な材質であれば、合成樹脂等でもかまわない。このシールテープ２０は、通常は、渦巻き状に巻き付けられており、ドラム状にしてストックされ、本装置に線状又は紐状にして送り出されるものである。
【００２９】
次に、建築用板２１は、図１３，図１４に示すように、主板２１ａの幅方向両側から立上り側部２１ｂ，２１ｂが形成され、両立上り側部２１ｂ，２１ｂの一方側の上端には下馳部２１ｃが形成され、他方側の上端には上馳部２１ｄが形成されている。前記立上り側部２１ｂ，２１ｂは、主板２１ａに対して外方上向きに傾斜状に形成されている。また、幅方向に隣接する建築用板２１，２１同士で下馳部２１ｃと上馳部２１ｄとが馳締めされる。前記シールテープ２０のシール部２０ａは、接着面２０ａ1 を介して上馳部２１ｄの裏面側に貼着され〔図１４（Ａ）参照〕、下馳部２１ｃと上馳部２１ｄにて前記シール部２０ａが挟持されるようにして馳締される〔図１４（Ｂ）参照〕。
【００３０】
本発明の取付装置Ａにおける装置にて建築用板２１の一部にシールテープ２０を貼着する工程について説明する。まず、ロール成形機２２の成形品（建築用板２１）の送り出し側に隣接又は近接して本発明の取付装置Ａが設置される。また、このときにロール成形機２２と取付装置Ａとの間に、前記ロール成形機２２によって成形された建築用板２１が通過可能なように短いコンベア装置が設置されてもかまわない。
【００３１】
ロール成形機２２では、通常、前記建築用板２１は、屋根及び壁として使用した場合に常に外部に向かう面が上方となるようにして成形されるものである。そして、そのロール成形機２２から所定の形状に成形されながら送り出される建築用板２１が本発明の取付装置Ａに到達した状態で、供給ドラム２から供給されたシールテープ２０から剥離シート２０ｂを剥離するとともに、その残ったシール部２０ａが接着面２０ａ1 を介して建築用板２１の先端の貼着位置（上馳部２１ｄの裏側）に貼着される。このとき前記貼着ローラ３の外周に形成されたテープ案内溝３ａには、前記シールテープ２０の接着面２０ａ1 が外方を向くように設定されている（図６乃至図９参照）。
【００３２】
そして、その貼着ローラ３が建築用板２１の貼着位置（上馳部２１ｄの裏側）に当接するように設定されているので、前記シールテープ２０は接着面２０ａ1 を介して建築用板２１の貼着位置（上馳部２１ｄの裏側）に貼着を開始する。そして、前記建築用板２１は、ロール成形機２２により送り出し方向に進行（移動）するものであるから、その建築用板２１の進行（移動）に伴い、貼着ローラ３の位置を通過する建築用板２１は、貼着位置（上馳部２１ｄの裏側）にシールテープ２０のシール部２０ａを貼着させながら進行（移動）し続け、該シール部２０ａを建築用板２１の長手方向に沿って貼着してゆくことができるものである（図８，図９参照）。
【００３３】
また、前記シールテープ２０は、貼着案内ローラ４の箇所で、剥離シート２０ｂが剥離してゆくが、該剥離シート２０ｂはそのまま巻取り案内ローラ６を通過して巻取りドラム５に巻き取られてゆく（図４参照）。このようにして、本発明における取付装置Ａは、建築用板２１の所定位置に極めて簡易且つ迅速にシールテープ２０を貼着してゆくことができるものであり、且つ極めて正確な貼着を行なうことができるものである。なお、前記巻取りドラム５は、モータ等の動力源７により回転する構造とすることもある。あるいは、前記送り用ローラ８と巻取りドラム５との間にＶベルト等による伝達手段を設けて、送り用ローラ８の回転に伴って巻取りドラム５が回転するようにする構成も存在する。
【００３４】
このときには、送り用ローラ８は、ロール成形機２２から送り出された建築用板２１の送り動作によって、回転する。この送り用ローラ８の回転が、前記伝達手段を介して巻取りドラム５に回転を伝達するものである。このとき、巻取りドラム５にスムーズな回転を与えたり、或いは回転を適宜操作可能となるように、クラッチ装置が装着されることもある。また、前記供給ドラム２及び巻取りドラム５は、成形機の機枠１を幅方向より見て右側以外にも左側に設置されても構わない〔図２の想像線で記載された供給ドラム２（巻取りドラム５も含む）箇所を参照〕。
【００３５】
この場合には、前記押圧手段Ｂも前記巻取りドラム５とともに左側に設置されることになる。さらに、ロール成形機２２によって成形された建築用板２１に対しても、本発明の取付装置Ａを単独の使用で、前記建築用板２１の貼着位置にシールテープ２０を貼着することができる。この場合は、建築用板２１を取付装置Ａに対して手動にて移動させ、シールテープ２０を貼着することになる。又は、前記送り用ローラ８に動力源７を備えることにより、建築用板２１を自動送りとすることができる。
【図面の簡単な説明】
【００３６】
【図１】（Ａ）は本発明の側面図、（Ｂ）は本発明の斜視図である。
【図２】図１（Ａ）のＸ1 −Ｘ1 矢視断面図である。
【図３】図２のＸ2 −Ｘ2 矢視断面図である。
【図４】本発明の要部の拡大略示図である。
【図５】（Ａ）は押圧手段の一部断面にした側面図、（Ｂ）は押圧手段の斜視図、（Ｃ）は押圧手段の別のタイプの一部断面にした側面図である。
【図６】シールテープが貼着案内ローラと巻取り案内ローラによってシール部と剥離シートに分別された状態を示す作用図である。
【図７】シールテープのシール部が貼着ローラの位置に到達している状態を示す作用図である。
【図８】シールテープのシール部が建築用板の上馳部に貼着を開始した作用図である。
【図９】シールテープのシール部が建築用板の上馳部に貼着されている状態の作用図である。
【図１０】（Ａ）は押圧手段によって上馳部にシールテープが貼着されている略示図、（Ｂ）は（Ａ）の一部断面にした要部拡大図、（Ｃ）は（Ｂ）の要部拡大図である。
【図１１】本発明において貼着案内ローラ及び巻取りドラムを装着しないタイプの側面図である。
【図１２】本発明をロール成形機に連続して設置された斜視図である。
【図１３】本発明によってシールテープが貼着された建築用板にゆる外囲体の略示図である。
【図１４】（Ａ）は下馳部とシールテープが貼着された上馳部の分離した状態の要部拡大図、（Ｂ）は馳締部の拡大図である。
【符号の説明】
【００３７】
押圧手段…Ｂ、供給ドラム…２、貼着ローラ…３、貼着案内ローラ…４、
巻取りドラム…５、巻取り案内ローラ…６、揺動部…１１、揺動支持部…１２、
錘部…１３、シールテープ…２０、シール部…２０ａ、接着面…２０ａ1 、            剥離シート…２０ｂ。
【図１】
2006037388.tif 000003
【図２】
2006037388.tif 000004
【図３】
2006037388.tif 000005
【図４】
2006037388.tif 000006
【図５】
2006037388.tif 000007
【図６】
2006037388.tif 000008
【図７】
2006037388.tif 000009
【図８】
2006037388.tif 000010
【図９】
2006037388.tif 000011
【図１０】
2006037388.tif 000012
【図１１】
2006037388.tif 000013
【図１２】
2006037388.tif 000014
【図１３】
2006037388.tif 000015
【図１４】
2006037388.tif 000016